【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  上面に生体電気インピーダンス測定用の電極が配設された略長方形状の第１電極ユニット及び第２電極ユニットと、内部に生体電気インピーダンス測定用の電気制御回路が組込まれると共に前記第１電極ユニット及び第２電極ユニットに対して接続端子を介して着脱可能に組付けられた制御回路ユニットと、補助ユニットとを備え、
前記制御回路ユニットの各端部の上面に前記第１電極ユニットの一端部及び前記第２電極ユニットの一端部が夫々載置され、前記補助ユニットの各端部の上面に前記第１電極ユニットの他端部及び前記第２電極ユニットの他端部が夫々載置されることにより、前記制御回路ユニットと、前記第１電極ユニットと、前記第２電極ユニットと、前記補助ユニットとが、接続端子を介して着脱可能に組付けられることを特徴とする生体電気インピーダンス測定装置。
【請求項２】  前記第１電極ユニット及び第２電極ユニットが長辺側の側面視で略凹形状に形成され、前記制御ユニット及び補助ユニットが長辺側の側面視で略凸形状に形成されていることを特徴とする請求項１記載の生体電気インピーダンス測定装置。
【請求項３】  前記制御回路ユニット及び補助ユニットに、体重測定用の荷重センサが組込まれていることを特徴とする請求項１又は２記載の生体電気インピーダンス測定装置。
【請求項４】  前記制御回路ユニットに、使用者が個人情報を入力するための入力装置と、少なくともこの個人情報と測定された生体電気インピーダンスとに基づいて使用者の身体組成に関する情報を算出する演算装置と、算出された身体組成に関する情報を表示するための表示装置とが更に組込まれていることを特徴とする請求項１乃至３記載の生体電気インピーダンス測定装置。
【手続補正２】
【補正対象書類名】明細書
【補正対象項目名】００１０
【補正方法】変更
【補正の内容】
【００１０】
【課題を解決するための手段】
本発明の生体電気インピーダンス測定装置は、上面に生体電気インピーダンス測定用の電極が配設された略長方形状の第１電極ユニット及び第２電極ユニットと、内部に生体電気インピーダンス測定用の電気制御回路が組込まれると共に前記第１電極ユニット及び第２電極ユニットに対して接続端子を介して着脱可能に組付けられた制御回路ユニットと、補助ユニットとを備え、前記制御回路ユニットの各端部の上面に前記第１電極ユニットの一端部及び前記第２電極ユニットの一端部が夫々載置され、前記補助ユニットの各端部の上面に前記第１電極ユニットの他端部及び前記第２電極ユニットの他端部が夫々載置されることにより、前記制御回路ユニットと、前記第１電極ユニットと、前記第２電極ユニットと、前記補助ユニットとが、接続端子を介して着脱可能に組付けられることとする。
【手続補正３】
【補正対象書類名】明細書
【補正対象項目名】００１１
【補正方法】削除
【補正の内容】
【手続補正４】
【補正対象書類名】明細書
【補正対象項目名】００１５
【補正方法】変更
【補正の内容】
【００１５】
【発明の実施の形態】
本発明の生体電気インピーダンス測定装置は、上面に生体電気インピーダンス測定用の電極が配設された略長方形状の第１電極ユニット及び第２電極ユニットと、内部に生体電気インピーダンス測定用の電気制御回路が組込まれると共に前記第１電極ユニット及び第２電極ユニットに対して接続端子を介して着脱可能に組付けられた制御回路ユニットと、補助ユニットとを備え、前記制御回路ユニットの各端部の上面に前記第１電極ユニットの一端部及び前記第２電極ユニットの一端部が夫々載置され、前記補助ユニットの各端部の上面に前記第１電極ユニットの他端部及び前記第２電極ユニットの他端部が夫々載置されることにより、前記制御回路ユニットと、前記第１電極ユニットと、前記第２電極ユニットと、前記補助ユニットとが、接続端子を介して着脱可能に組付けられるものである。従って、使用者は、これを制御回路ユニット、第１電極ユニット及び第２電極ユニット並びに補助ユニットの各ユニットに分解して積重ねることが可能であり、持運びや収納を容易に行えるものである。また、この生体電気インピーダンス測定装置は組立状態において上面視で枡形（ロの字形）となるため、組立時の強度、剛性が良好となる。
【手続補正５】
【補正対象書類名】明細書
【補正対象項目名】００１６
【補正方法】削除
【補正の内容】
【手続補正６】
【補正対象書類名】明細書
【補正対象項目名】００３３
【補正方法】変更
【補正の内容】
【００３３】
図７は、本発明に関連する参考例としての生体電気インピーダンス測定装置１００の外観図であって、図７（ａ）はその上面視、図７（ｂ）はその側面視を表している。
【手続補正７】
【補正対象書類名】明細書
【補正対象項目名】００３５
【補正方法】変更
【補正の内容】
【００３５】
第１電極ユニット１１０及び第２電極ユニット１２０は、その上面に生体電気インピーダンス測定用の左足爪先側電極１１１、左足踵側電極１１２及び右足爪先側電極１２１、右足踵側電極１２２が夫々配設され、またその長辺側の側面には接続端子１１３及び１２３が夫々配設され、更にその下面には荷重センサ１１４、１１５及び１２４、１２５が夫々組付けられている（図７（ｂ）参照）。制御回路ユニット１３０は、その上面に入力装置１３５及び表示装置１３６が配設されており、またその長辺側の両側面には接続端子１３３及び１３４が夫々配設され、更に内部には生体電気インピーダンス測定用の電気制御回路（不図示）が組込まれている。尚、本参考例においても、身体組成に関する情報の算出のための演算装置は、この電気制御回路に組込まれている。
【手続補正８】
【補正対象書類名】明細書
【補正対象項目名】００４３
【補正方法】変更
【補正の内容】
【００４３】
【発明の効果】
本発明の生体電気インピーダンス測定装置は、上面に生体電気インピーダンス測定用の電極が配設された略長方形状の第１電極ユニット及び第２電極ユニットと、内部に生体電気インピーダンス測定用の電気制御回路が組込まれると共に前記第１電極ユニット及び第２電極ユニットに対して接続端子を介して着脱可能に組付けられた制御回路ユニットと、補助ユニットとを備え、前記制御回路ユニットの各端部の上面に前記第１電極ユニットの一端部及び前記第２電極ユニットの一端部が夫々載置され、前記補助ユニットの各端部の上面に前記第１電極ユニットの他端部及び前記第２電極ユニットの他端部が夫々載置されることにより、前記制御回路ユニットと、前記第１電極ユニットと、前記第２電極ユニットと、前記補助ユニットとが、接続端子を介して着脱可能に組付けられているため、使用者は、これを制御回路ユニット、第１電極ユニット及び第２電極ユニット並びに補助ユニットの各ユニットに分解して積重ねることが可能であり、持運びや収納を容易に行えるものである。また、本発明の生体電気インピーダンス測定装置は、組立状態において上面視で枡形（ロの字形）となるため、組立時の強度、剛性が良好となる。
【手続補正９】
【補正対象書類名】明細書
【補正対象項目名】００４４
【補正方法】削除
【補正の内容】
【手続補正１０】
【補正対象書類名】明細書
【補正対象項目名】図面の簡単な説明
【補正方法】変更
【補正の内容】
【図面の簡単な説明】
【図１】本発明の実施例である生体電気インピーダンス測定装置の分解状態を示す外観図である。
【図２】本発明の実施例である生体電気インピーダンス測定装置の組立状態を示す外観図である。
【図３】図２におけるＡ−Ａ断面図である。
【図４】図４（ａ）、図４（ｂ）共に、本発明の実施例である生体電気インピーダンス測定装置の接続端子を示す図である。
【図５】本発明の実施例である生体電気インピーダンス測定装置の内部の電気的な接続関係を示す模式図である。
【図６】本発明の実施例である生体電気インピーダンス測定装置を分解して積重ねる際の様子を側面視で示す図である。
【図７】本発明に関連する参考例としての生体電気インピーダンス測定装置であって、図７（ａ）はその上面視、図７（ｂ）はその側面視を示す外観図である。
【符号の説明】
１  生体電気インピーダンス測定装置
１０  第１電極ユニット
２０  第２電極ユニット
１０ａ、１０ｂ、１０ｃ、２０ａ、２０ｂ、２０ｃ  下面
１１、１２、２１、２２  電極
１３、１４、２３、２４  接続端子
１３ａ、１４ａ、２３ａ、２４ａ  接続ピン
３０  制御回路ユニット
４０  補助ユニット
３０ａ、３０ｂ、３０ｃ、４０ａ、４０ｂ、４０ｃ  上面
３１、３２、４１、４２  荷重センサ
３３、３４、４３、４４  接続端子
３３ａ、３４ａ、４３ａ、４４ａ  接続孔
３５  入力装置
３６  表示装置
３７  電気制御回路
３８  電源
１００  生体電気インピーダンス測定装置
１１０  第１電極ユニット
１２０  第２電極ユニット
１３０  制御回路ユニット
１１１、１１２、１２１、１２２  電極
１１３、１２３、１３３、１３４  接続端子
１１４、１１５、１２４、１２５  荷重センサ
１３５  入力装置
１３６  表示装置